(57)【要約】【課題】軽量でありながら高強度で見栄えのよい、優れた物品陳列具を提供する。【解決手段】矩形状の背面部１０の周囲に左右の側面部１２、１３と底面部１４と天面部とが延設された一枚の樹脂製シートを折り立てることにより箱形状に形成され、その内側に物品９が陳列される箱状ユニット２０を備えている。そして、その各面部には、それぞれ型成形によって凹凸形状が付与されているとともに、上記背面部１０との境界線を折り目として上記各面部を折り立てた状態で、左右の側面部１２、１３と底面部１４とを着脱自在に係合するための第１の係合手段と、同じく左右の側面部１２、１３と天面部とを着脱自在に係合するための第２の係合手段とが設けられている。【選択図】図１
2015100520.tif 000002
【特許請求の範囲】
【請求項１】
矩形状の背面部の周囲に左右の側面部と底面部と天面部とが延設された一枚の樹脂製シートを折り立てることにより正面が開口する箱形状に形成され、その内側に物品が陳列されるよう構成された箱状ユニットを備え、
上記背面部と左右の側面部と底面部と天面部には、それぞれ型成形によって凹凸形状が付与されているとともに、上記背面部との境界線を折り目として上記各面部を折り立てた状態で、左右の側面部と底面部とを着脱自在に係合するための第１の係合手段と、同じく左右の側面部と天面部とを着脱自在に係合するための第２の係合手段とが設けられていることを特徴とする物品陳列具。
【請求項２】
請求項１記載の箱状ユニットを複数個、上下方向に連結してなる物品陳列具であって、上記各箱状ユニットの底面部と各箱状ユニットの天面部とが、互いに嵌合しうる凹凸形状を有し、その底面部と天面部の嵌合によって複数個の箱状ユニットが上下に段積みされた状態で、互いに連結保持されていることを特徴とする物品陳列具。
【請求項３】
請求項１記載の箱状ユニットを複数個、左右方向に連結してなる物品陳列具であって、上記各箱状ユニットの左右の側面部が、互いに嵌合しうる凹凸形状を有し、その左右の側面部同士の嵌合によって複数個の箱状ユニットが左右に並んだ状態で、互いに連結保持されていることを特徴とする物品陳列具。
【請求項４】
上記底面部に付与された凹凸形状の少なくとも一部を利用して、物品が陳列保持されるようになっている請求項１〜３のいずれか一項に記載の物品陳列具。
【請求項５】
上記樹脂製シートが、透明な樹脂材料によって形成されている請求項１〜４のいずれか一項に記載の物品陳列具。
【請求項６】
上記箱状ユニットの少なくとも一部が、陳列具装飾用のシート部材によって被覆されている請求項１〜５のいずれか一項に記載の物品陳列具。
【発明の詳細な説明】
【技術分野】
【０００１】
本発明は、軽量でありながら高強度で見栄えのよい、全く新しいタイプの物品陳列具に関するものである。
【背景技術】
【０００２】
従来、陳列された商品を顧客自身が手にとってレジで購入するセルフ方式の店舗では、多種多様な商品を、見栄えよく店内に陳列するために、様々な陳列棚や陳列台が用いられている。その一つとして、店内の壁面や大型陳列什器の側面等を利用して物品を吊り下げて陳列する吊り下げ型陳列具が汎用されている。
【０００３】
このような吊り下げ型陳列具の一例を図７に示す。このものは、背面部１と左右の側面部２、３と天面部４と底面部５とを備え、上記底面部５が上段部５ａと下段部５ｂの２重になっている。そして、底面部５の上段部５ａに形成された開口６を利用して陳列部をつくり、この部分に商品７が陳列保持されるようになっている。８は吊り下げ用の紐である。
【０００４】
この吊り下げ型陳列具は、軽量化のために、全体が紙製シートで形成されているが、液体化粧料等の、比較的重い商品を複数個陳列保持すると、紙材にかかる負担が大きく、経時的に形状が歪みやすいという問題がある。また、陳列部を多段にして商品７の陳列数を増やそうとしても、強度の問題から、段数を増やせないという問題もある。さらに、壁面に吊り下げるスペースがない場合、陳列具上に載置することも考えられるが、全体が紙製であるため、店内の照明光が陳列部の奥まで届きにくく、陳列商品が見えにくくなって全体形状がわかりにくいという問題もある。この問題は、陳列部を多段にした場合、さらに深刻である。
【０００５】
そこで、陳列部が上下二段でありながら、吊り下げ型と載置型とを兼用することができ、載置型として使用するときは、下段の陳列部を手前に引き出して見栄えのよい形に変形させることのできる商品陳列具がいくつか提案されている（下記の特許文献１、２を参照）。
【先行技術文献】
【特許文献】
【０００６】
【特許文献１】特開２００７−２２２２１８号公報
【特許文献２】特開２０１２−７５７８５号公報
【発明の概要】
【発明が解決しようとする課題】
【０００７】
しかしながら、これらの陳列具は、全体の構成が複雑で、製造に手間とコストを要するだけでなく、全体が紙製であるため、繰り返し使用すると、形が崩れてきたり、角部や縁部が剥げたりよじれたりして見栄えが悪くなるという問題を依然として有している。また、液体化粧料等の比較的重い商品を上下に多数陳列保持させるには、強度の問題があり、比較的軽い商品しか陳列することができないという問題もある。さらに、陳列具の強度を高めるために陳列部の周囲（天面部と底面部、左右の側面部）を前後に幅の広い厚紙で囲うようにすると、陳列部の奥まで照明光が届きにくく、陳列商品が見えづらいため、見栄えが悪いものとなるという問題がある。
【０００８】
本発明は、このような事情に鑑みてなされたもので、軽量でありながら高強度で見栄えのよい、優れた物品陳列具の提供をその目的とする。
【課題を解決するための手段】
【０００９】
上記の目的を達成するため、本発明は、矩形状の背面部の周囲に左右の側面部と底面部と天面部とが延設された一枚の樹脂製シートを折り立てることにより正面が開口する箱形状に形成され、その内側に物品が陳列されるよう構成された箱状ユニットを備え、上記背面部と左右の側面部と底面部と天面部には、それぞれ型成形によって凹凸形状が付与されているとともに、上記背面部との境界線を折り目として上記各面部を折り立てた状態で、左右の側面部と底面部とを着脱自在に係合するための第１の係合手段と、同じく左右の側面部と天面部とを着脱自在に係合するための第２の係合手段とが設けられている物品陳列具を第１の要旨とする。
【００１０】
また、本発明は、上記箱状ユニットを複数個、上下方向に連結してなる物品陳列具であって、上記各箱状ユニットの底面部と各箱状ユニットの天面部とが、互いに嵌合しうる凹凸形状を有し、その底面部と天面部の嵌合によって複数個の箱状ユニットが上下に段積みされた状態で、互いに連結保持されている物品陳列具を第２の要旨とし、同じく上記箱状ユニットを複数個、左右方向に連結してなる物品陳列具であって、上記各箱状ユニットの左右の側面部が、互いに嵌合しうる凹凸形状を有し、その左右の側面部同士の嵌合によって複数個の箱状ユニットが左右に並んだ状態で、互いに連結保持されている物品陳列具を第３の要旨とする。
【００１１】
さらに、本発明は、上記第１〜第３のいずれかの要旨における底面部に付与された凹凸形状の少なくとも一部を利用して、物品が陳列保持されるようになっている物品陳列具を第４の要旨とする。また、同じく上記樹脂製シートが、透明な樹脂材料によって形成されている物品陳列具を第５の要旨とし、上記箱状ユニットの少なくとも一部が、陳列具装飾用のシート部材によって被覆されている物品陳列具を第６の要旨とする。
【発明の効果】
【００１２】
すなわち、本発明の物品陳列具は、真空成形等の型成形によって凹凸形状が付与された樹脂製シートを折り立ててなる箱状ユニットによって構成されており、全体が軽量でありながら、非常に高い強度を備えている。したがって、比較的重い物品を陳列保持した状態で吊り下げ型あるいは載置型の陳列具として用いても、形が崩れたり、角部や縁部等の突出部が傷ついたりよじれたりすることがなく、長期にわたって良好に用いることができる。また、箱状ユニット全体の凹凸形状を、一枚の樹脂製シートに対する一回の型成形で簡単に賦形することができるため、物品の形状や陳列スペースに応じた、デザイン性の高い陳列具を、迅速かつ安価に提供することができる。
【００１３】
また、本発明において、上記箱状ユニットを複数個、上下方向に連結してなる物品陳列具は、その連結のための嵌合を、上記型成形によって付与された凹凸形状を利用して行うことができるため、特殊な構成を付加することなく、簡単な構造でこれらを上下方向に連結することができるという利点を有する。しかも、一つ一つの箱状ユニットが、軽量かつ高強度であることから、多段に積み上げて連結したものを一体的に取り扱っても優れた安定性、保形性を有し、吊り下げ型、載置型のいずれの形で用いてもよく、長期にわたって見栄えのよい陳列を実現することができる。
【００１４】
また、同様に、本発明において、上記箱状ユニットを複数個、左右方向に連結してなる物品陳列具も、その連結のための嵌合を、上記型成形によって付与された凹凸形状を利用して行うことができるため、特殊な構成を付加することなく、簡単な構造でこれらを左右方向に連結することができるという利点を有する。しかも、一つ一つの箱状ユニットが、軽量かつ高強度であることから、左右に多数並べて連結したものを一体的に取り扱っても優れた安定性、保形性を有し、吊り下げ型、載置型のいずれの形で用いてもよく、長期にわたって見栄えのよい陳列を実現することができる。
【００１５】
そして、本発明のなかでも、特に、上記底面部に付与された凹凸形状の少なくとも一部を利用して、物品が陳列保持されるようになっているものは、物品陳列保持用の凹凸部を、別部材を組み込む等してわざわざ作製する必要がなく、製造する手間とコストを低減することができる。
【００１６】
さらに、本発明のなかでも、特に、上記樹脂製シートが、透明な樹脂材料によって形成されている物品陳列具は、箱状ユニットが、どの面も透明な構造体となるため、箱状ユニットの内側まで照明光が届き、陳列された物品を明るく照らすため、明るい印象を与え、販売促進効果が得られるという利点を有する。また、紙製や不透明な樹脂製の陳列具では、陳列された物品の全体が見えにくく、顧客は、物品を陳列具から一旦取り出さない限り、その全体形状がわからないが、本発明の陳列具によれば、陳列された状態のまま物品の全体形状がわかるため、販売促進効果をより高めることができる。
【００１７】
また、本発明のなかでも、特に、上記箱状ユニットの少なくとも一部が、陳列具装飾用のシート部材によって被覆されている物品陳列具は、そのシート部材によって、陳列具のアイキャッチ効果を高めることができるだけでなく、陳列された物品の使用方法や関連商品の宣伝等を表示することにより、販売促進効果をより高めることができる。
【図面の簡単な説明】
【００１８】
【図１】本発明の一実施の形態である物品陳列具を示す斜視図である。
【図２】上記物品陳列具の構成を示す分解斜視図である。
【図３】（ａ）は上記物品陳列具に用いられる箱状ユニットの構成を示す展開図、（ｂ）はその正面図、（ｃ）はその右側面図である。
【図４】本発明の他の実施の形態を示す斜視図である。
【図５】本発明のさらに他の実施の形態を示す斜視図である。
【図６】上記さらに他の実施の形態に用いられる箱状ユニットの一例を示す斜視図である。
【図７】従来の吊り下げ型陳列具の一例を示す斜視図である。
【発明を実施するための形態】
【００１９】
つぎに、本発明の実施の形態を、図面にもとづいて詳しく説明する。ただし、本発明は、以下の実施の形態に限定されるものではない。
【００２０】
図１は、本発明を、ボトル形状の物品９を陳列するための吊り下げ型の物品陳列具（以下「陳列具」と略す）に適用した一実施の形態を示す斜視図である。この陳列具は、正面が開口する箱形状をしており、その背面部１０の上部に設けられた小さな２つの穴１１（図３参照）に、陳列具を吊り下げるための紐５０が取り付けられている。
【００２１】
より詳しく説明すると、上記陳列具は、図２に示すように、凹凸形状が付与された一枚の樹脂製シートを折り立ててなる箱状ユニット２０と、その表面に取り付けられる３枚の、紙製シート部材２１、２２、２３とで構成されている。
【００２２】
上記箱状ユニット２０は、その内側が表となるようにして平たく展開した図３（ａ）と、その正面図である図３（ｂ）と、その右側面図である図３（ｃ）に示すように、矩形状の背面部１０の周囲に、左右の側面部１２、１３と、底面部１４と、天面部１５とが延設された形状になっており、真空成形等の型成形によって、それぞれの面に、特定の凹凸形状が付与されている。
【００２３】
まず、上記背面部１０には、上下方向に延びる、断面台形状の凸条１０ａが多数本、列状に突出した凹凸形状が賦形されている。この多数本の凸条１０ａがリブの作用を果たすため、背面部１０の平面性が高い強度で保持されるようになっている。
【００２４】
また、左右の側面部１２、１３は、互いに左右対称の形になっており、折り立てた状態で手前にくる縦辺部１２ｐ、１３ｐが、それぞれ背面部１０側に大きく円弧状に湾曲した形状になっている。これは、箱状ユニット２０の内側に陳列される物品９（図１参照）を出し入れしやすいよう考慮したものである。そして、側面部１２、１３の各面は、それぞれ、斜線で示す内側領域が突出した凹凸形状に賦形されており、この凹凸形状がリブの作用を果たすため、左右の側面部１２、１３の平面性が比較的高い強度で保持され、反りや歪みが生じにくいようになっている。
【００２５】
そして、左右の側面部１２、１３の上部と下部に、それぞれ２個一対の、平面視円形に突出する側面上係合用凸部１２ａ、１３ａと、側面下係合用凸部１２ｂ、１３ｂが設けられている。また、各面の下部に、平面視略四角形に内側に向けて突出する２個一対の連結用被係合部１２ｃ、１３ｃが設けられている。
【００２６】
さらに、上記左右の側面部１２、１３の上端縁には、上向きに延びる連結用ガイド片５１、５２が設けられており、各連結用ガイド片５１、５２に、平面視円形に突出する２個一対の連結用係合部５１ａ、５２ａが設けられている。この連結用係合部５１ａ、５２ａは、複数個の箱状ユニット２０を上下方向に連結するために用いられるもので、他の箱状ユニット２０の、上記連結用被係合部１２ｃ、１３ｃと係合させることによって、上下に段積みされた箱状ユニット２０同士を連結保持することができるようになっている（図４参照）。
【００２７】
この例では、箱状ユニット２０を１個だけ用いて陳列具とするため、上記連結用ガイド片５１、５２は不要であるが、箱状ユニット２０を単独で用いる場合と、複数個連結して用いる場合の両方に共用できるように、折り立て前の箱状ユニット２０には、すべて上記連結用ガイド片５１、５２が設けられている。そして、この例では、上記連結用ガイド片５１、５２は不要であるため、後述するように、この連結用ガイド片５１、５２は、箱状ユニット２０を折り立てる際に切除されるようになっている。
【００２８】
一方、上記背面部１０の下縁部から延設される底面部１４には、まず、所定高さで突出することにより第１の突出部１４ａが形成されており、さらにその内側領域がさらに高く突出して第２の突出部１４ｂが形成されている。したがって、底面部１４の周縁部全体が、内側領域より一段低い段差部になっており、その内側の、一段高い第２の突出部１４ｂの頂面が、物品９の陳列面になっている。そして、この頂面に、物品９を陳列して保持するための凹部１４ｃが、３個ずつ前後に二列並んだ状態で設けられている。
【００２９】
また、上記底面部１４の左右の端縁には、それぞれ側方に延びる係合用ガイド片５３、５４が設けられており、各係合用ガイド片５３、５４に、平面視四角形に突出する２個一対の底面係合用凸部５３ａ、５４ａが設けられている。なお、この底面係合用凸部５３ａ、５４ａは、折り立てて箱状ユニット２０とした状態において、外側からみると凹状の穴になっており、上記左右の側面部１２、１３の側面下係合用凸部１２ｂ、１３ｂと嵌合させることによって、底面部１４と左右の側面部１２、１３の下部とを係合一体化することができるようになっている（図２参照）。
【００３０】
また、前記背面部１０の上縁部から延設される天面部１５は、その周端縁からわずかに内側に入り込んだ特定の領域（図において斜め格子で示す領域）が凹んで、陥没部１５ａが形成されている。そして、上記天面部１５の左右の端縁には、それぞれ側方に延びる２個一対の係合用ガイド片５５、５６が設けられており、各係合用ガイド片５５、５６に、平面視四角状に突出する天面係合用凸部５５ａ、５６ａが設けられている。なお、この天面係合用凸部５５ａ、５６ａも、折り立てて箱状ユニット２０とした状態において、外側からみると凹状の穴になっており、上記左右の側面部１２、１３の側面上係合用凸部１２ａ、１３ａと嵌合させることにより、天面部１５と左右の側面部１２、１３の上部とを係合一体化することができるようになっている（図２参照）。
【００３１】
上記箱状ユニット２０は、例えばつぎのようにして得ることができる。すなわち、まず、薄肉の樹脂製シート（この例では厚み０．６ｍｍのポリエチレンテレフタレート製シート）を準備する。そして、真空成形によって、この樹脂製シートの所定部分に、成形型の凹凸形状を賦形するとともに、所定の輪郭形状に外形を切断する。また、上記樹脂製シートの背面部１０となる部分の、上部の左右に、穴１１を形成し、この穴１１を用いて、吊り下げ用の紐５０を取り付ける（図１参照）。これにより、箱状ユニット２０の展開図である図３に示すような、凹凸形状が付与された成形品を得ることができる。
【００３２】
つぎに、背面部１０と、これを囲む左右の側面部１２、１３、底面部１４、天面部１５を、互いの境界線を谷折りの折り目として、手前側に折り立てる。そして、上記左右の側面部１２、１３の側面下係合用凸部１２ｂ、１３ｂと、底面部１４から側方に延びる係合用ガイド片５３、５４の底面係合用凸部５３ａ、５４ａとを嵌合させることによって、底面部１４と左右の側面部１２、１３の下部とを係合一体化させる。また、同様に、上記左右の側面部１２、１３の側面上係合用凸部１２ａ、１３ａと、天面部１５から側方に延びる係合用ガイド片５５、５６の天面係合用凸部５５ａ、５６ａとを嵌合させることにより、天面部１５と左右の側面部１２、１３の上部とを係合一体化させる。
【００３３】
このようにして、一枚の樹脂製シートを、図２に示すような箱状ユニット２０に組み立てることができる。なお、上記折り立て作業時に、背面部１０の手前に、長方形の紙製シート部材２２を当てて両面テープ（図示せず、以下同じ）で固定し、背面部１０と、折り立てた底面部１４の奥端面との間に挟むようにすると、この紙製シート部材２２により、背面部１０の凹凸形状が隠されて、すっきりした印象となる。
【００３４】
また、上記折り立て作業に先立って、左右の側面部１２、１３から延設された連結用ガイド片５１、５２を切除する。すでに述べたように、この例では、図１に示すように、箱状ユニットを１個だけ用いて陳列具とするものであるため、上記連結用ガイド片５１、５２は不要である。
【００３５】
そして、折り立てた箱状ユニット２０の底面部１４の前端面に、正面装飾用の紙製シート部材２１を、両面テープを用いて取り付ける。また、箱状ユニット２０の天面部１５に、断面Ｌ字状に折り曲げられた天面装飾用の紙製シート部材２３を、同じく両面テープを用いて取り付ける。これらの紙製シート部材２１、２３には、この陳列具に陳列される物品のブランド名やキャッチフレーズ、そのイメージに合わせたイラスト等が印刷表示されており、これらを取り付けることによって、陳列具が、陳列物品のイメージに合致した印象となり、人目を引くものとなる。このようにして、図１に示す陳列具を得ることができる。
【００３６】
この陳列具によれば、全体が、薄肉で透明な樹脂製シートからなる箱状ユニット２０と、装飾用の紙製シート部材２１〜２３とを組み合わせただけのものであるため、非常に軽量で取り扱いやすいものとなる。しかも、上記箱状ユニット２０が高い強度を備えているため、比較的重い物品を陳列保持した状態で吊り下げて用いても、形が崩れたり、角部や縁部等の突出部が傷ついたりよじれたりすることがなく、長期にわたって良好に用いることができる。また、紐５０を外して、陳列台や陳列棚の上にそのまま載置して用いてもよい。
【００３７】
そして、物品９を陳列保持するための凹部１４ｃも含め、箱状ユニット２０全体の凹凸形状を、一枚の樹脂製シートに対する一回の型成形で簡単に賦形することができるため、物品の形状や陳列スペースに応じた、デザイン性の高い陳列具を、迅速かつ安価に提供することができる。さらに、箱状ユニット２０の凹凸形状が、樹脂製シートに型成形によって付与された滑らかな凹凸面で構成されているため、ウェットティシュ等による拭き取り動作だけで清浄に保つことができ、手入れが簡単である。
【００３８】
また、この陳列具は、箱状ユニット２０において、背面部１０と天面部１５と底面部１４の前端部とが、不透明な装飾用の紙製シート部材２１〜２３で被覆されているものの、それ以外の部分が透明であるため、箱状ユニット２０内の奥まで照明光が行き届くようになっている。したがって、陳列された物品９を鮮明に見せることができ、また物品９を取り出さなくてもその全体形状を顧客に見せることができるため、顧客に物品を強く印象付けることができる。
【００３９】
そして、この陳列具は、樹脂製シートからなる箱状ユニット２０に、両面テープで装飾用の紙製シート部材２１〜２３を取り付けただけの構成であるため、陳列する物品９の種類が変わる都度、その物品９に応じた紙製シート部材に交換するだけで、箱状ユニット２０は繰り返し使用することができる。したがって、陳列具の廃棄処分コストと、環境への負荷を大幅に削減することができる。
【００４０】
なお、上記の例において、箱状ユニット２０に用いられる樹脂製シートとしては、型成形によって賦形できる樹脂材料からなるものが用いられ、ポリエチレンテレフタレート（ＰＥＴ）の他、例えばポリプロピレン（ＰＰ）、ポリエチレン（ＰＥ）、ポリスチレン（ＰＳ）等の熱可塑性樹脂があげられる。なかでも、再生ＰＥＴを用いることが、コストおよび省資源の点で好適である。そして、上記樹脂製シートは、必ずしも透明である必要はないが、上記の例のように、透明のものを用いると、箱状ユニット２０内側の陳列面が明るくなり、陳列される物品９を印象的に見せることができ、好適である。
【００４１】
そして、上記樹脂製シートの厚みも、上記の例に限らず、用いる材料および目的とする箱状ユニット２０の大きさ等によって適宜に設定されるが、通常、０．１〜０．８ｍｍの範囲に設定することが好適である。すなわち、厚みが薄すぎると型成形が容易でなく、保形性の点でも好ましくない。逆に、厚みが厚すぎると、陳列具が重くなり、取り扱いにくくなる上、省資源の点からも好ましくない。
【００４２】
また、上記樹脂製シートに凹凸形状を賦形して箱状ユニット２０となる成形品を得る成形方法としては、真空成形の他、圧空成形やプレス成形等、樹脂製シートを型成形によって凹凸形状を賦形する各種の成形方法を用いることができる。
【００４３】
なお、上記樹脂製シートに賦形する凹凸形状は、背面部１０、左右の側面部１２、１３、底面部１４、天面部１５のいずれの面においても、その面の強度を確保できるような凹凸形状にすることが望ましく、そのために、背面部１０と左右の側面部１２、１３では、少なくとも上下方向に延びる凸条もしくは凹条を形成することが好適である。また、底面部１４と天面部１５では、少なくもと前後方向に延びる凸条もしくは凹条を形成することが好適である。
【００４４】
また、上記の例では、底面部１４において、第１の突出部１４ａと第２の突出部１４ｂを設けて２段にし、第２の突出部１４ｂの頂面に、物品保持用の凹部１４ｃを設けたが、物品９が箱入り製品である場合や、比較的広い底面積を有し安定したものである場合には、特に凹部１４ｃを設けて物品９を嵌入保持する必要はない。例えば、底面部１４を補強するための第１の突出部１４ａのみを設け、その頂面を平たくして、その上に物品９を載置して陳列することができる。また、上記第１の突出部１４ａに代えて、補強のために、背面部１０に設けた凸条１０ａのような筋状の凹凸や、規則的に並ぶドット状の凹凸を設け、その凹凸面の上に、物品９を載置するようにしてもよい。
【００４５】
一方、上記箱状ユニット２０に取り付けられる装飾用の紙製シート部材２１〜２３は、必ずしも紙製である必要はなく、樹脂製であっても差し支えない。ただし、その表面に、陳列する物品９のイメージに合った色やイラストを施したり、キャッチコピーや物品の説明、宣伝広告等を表示したものを用いることが好適である。そして、これらのシート部材は、顧客の目に入りやすいところに取り付けることが好ましい。ただし、箱状ユニット２０の透明性を活かす場合には、その取り付け位置と取り付け面積によって、箱状ユニット２０の内側が暗くならないように配慮することが望ましい。また、このようなシート部材を全く用いず、あえて箱状ユニット２０だけの構成にして、陳列具を顧客に印象付けるようにしても差し支えない。
【００４６】
また、上記の例では、箱状ユニット２０を１個だけ用いて陳列具としているが、前述のとおり、箱状ユニット２０用の樹脂シート（成形品）として、箱状ユニット２０を上下に連結するための連結用ガイド片５１、５２と、これに用いる連結用被係合部１２ｃ、１３ｃを有するもの（図３を参照）を用意している。そこで、これらを利用して、例えば図４に示すように、複数個（この例では３個）の箱状ユニット２０を段積みし、上下方向に連結保持することができる。
【００４７】
すなわち、このように、箱状ユニット２０を上下方向に連結するには、すでに述べたように、図２に示す樹脂製シート（成形品）を箱状に折り立てる際、上記の例では切除した連結用ガイド片５１、５２を切除することなくそのまま用いる。そして、この連結用係合部５１ａ、５２ａを、その上に配置された他の箱状ユニット２０の連結用被係合部１２ｃ、１３ｃと嵌合させることによって、上下に段積みされた箱状ユニット２０同士を連結保持するのである。
【００４８】
なお、上記の例では、箱状ユニット２０を構成する底面部１４の第１の突出部１４ａの下面開口の内側に、天面部１５の陥没部１５ａ（内側から陥没させているので、外側から見れば突出部となる。図２参照）が隙間なく入り込むようになっているため、上下に箱状ユニット２０を重ねる際、上の箱状ユニット２０を安定した形で重ねることができる。したがって、下の段の箱状ユニット２０の連結用係合部５１ａ、５２ａと、上の段の箱状ユニット２０の連結用被係合部１２ｃ、１３ｃとの係合固定がしやすいという利点を有する。したがって、上下に複数個の箱状ユニット２０を連結する場合、上記の例のように、底面部１４と天面部１５とが、互いに嵌合しうるような凹凸形状を賦形しておくことが望ましい。
【００４９】
そして、上記底面部１４と天面部１５との嵌合部の形状を、互いの嵌合が一定の強度で保持されるような形状に設定した場合、上記左右の側面部１２、１３に設けた連結用係合部５１ａ、５２ａと連結用被係合部１２ｃ、１３ｃは、必ずしも必要ない。ただし、上記箱状ユニット２０を上下方向に連結した陳列具では、多段に陳列する物品９の重量が重い場合は、底面部１４と天面部１５の嵌合だけでなく、上記の例のように、左右の側面方向においても、連結手段を設けておくことが好適である。
【００５０】
また、上記箱状ユニット２０を、上下方向だけでなく、左右方向にも連結して陳列量を増やすことができる。例えば、図５に、箱状ユニット２０を上下左右に２個ずつ連結した例を示す。このように、箱状ユニット２０を左右方向に連結するには、箱状ユニット２０を構成する左右の側面部１２、１３に、隣り合う箱状ユニット２０同士の側面部１２、１３が嵌合保持されるような凹凸形状を賦形しておくことが望ましい。
【００５１】
その一例を図６に示す。このものは、左右の側面部１２、１３の、それぞれの突出領域を賦形する際、片方の側面部１２には、その内側に、大きく陥没する（箱状ユニット２０の外側において突出する）小領域Ａを形成し、他方の側面部１３には、その内側に、突出も陥没もしない環状領域Ｂを残すようにする。この環状領域Ｂは、箱状ユニット２０の外側において突出形状となり、その向かって右側に配置される箱状ユニット２０の、側方に突出する小領域Ａと嵌合するため、左右の箱状ユニット２０が連結されるようになっている。そして、上記小領域Ａと環状領域Ｂの嵌合部において、互いに対峙する一方の面に小凸部（図示せず）が所定間隔で設けられているとともに、他方の面の相対する位置に小凹部（図示せず）が設けられており、これらの小凸部および小凹部が、上記小領域Ａと環状領域Ｂの嵌合時に、互いに係合して抜け止めとなり、上記嵌合が一定の強度で保持されるようになっている。したがって、左右の箱状ユニット２０の連結は容易に外れず、図５に示す陳列形態が、安定した状態で保持されるようになっている。
【００５２】
もちろん、図５では、箱状ユニット２０を上下左右に連結して陳列具とした例であるが、同様の構成により、左右方向のみに箱状ユニット２０を連結してもよい。そして、左右方向のための連結構造は、図６に示したものに限らず、どのような構造にしても差し支えない。
【産業上の利用可能性】
【００５３】
本発明は、樹脂製シートを折り立ててなる箱状ユニットからなり、軽量でありながら高強度で見栄えのよい、優れた物品陳列具に利用することができる。
【符号の説明】
【００５４】
９  物品
１０  背面部
１２、１３  側面部
１４  底面部
２０  箱状ユニット
【図１】
2015100520.tif 000003
【図２】
2015100520.tif 000004
【図３】
2015100520.tif 000005
【図４】
2015100520.tif 000006
【図５】
2015100520.tif 000007
【図６】
2015100520.tif 000008
【図７】
2015100520.tif 000009